Podtech/llm-jp-corpus-v4-ja_patent huggingface dataset:
(57)【要約】【課題】音声の比較学習を簡単に実現すること【解決手段】普通の音声メディアとＩＣメモリを結合し、メディアからＩＣメモリ中に一度音声データを記録した場合、ＩＣメモリだけで「巻き戻し、早送り、再生、再生速度変更」の機能を繰返し実現できる。教本となるサンプル音声と自分の音声をＩＣメモリの再生により、自分の音声を自分の耳で再確認し、教本となるサンプルの音声と比較機能を実現。また、ＩＣメモリ中の音声データの呼出し速度を変えれば、音声の再生速度を変えることになる。【選択図】図１
2004240352.tif 000002
【特許請求の範囲】
【請求項１】
ＩＣメモリ中に一度音声データを記録した場合、ＩＣメモリだけで「巻き戻し、早送り、再生、再生速度変更」の機能を繰返し実現できる。このため、これらの動作をモータなど機械的な要素から最大限に切り離しできる。テープなど音源メディアの走行消耗を最大限に抑え、高速な音声検索と機敏な再生を実現。
【請求項２】
自分の音声を自分の耳で再確認し、教本となるサンプルの音声と比較機能を実現。図１で示すように、テープ・ＣＤ・ＭＤ・ＭＰ３など学習サンプル音源からの音声ＡをＩＣメモリに記録すること（▲１▼）により、メモリから繰返し再生ができる（▲４▼）。人の模倣音声ＢをＩＣメモリに記録すること（▲３▼）より、ＩＣメモリから人の声も繰返し再生できる（▲５▼）。音声Ａに続きＢと連続再生を繰り返すことにより、Ａ・Ｂの比較ができる。この事は人に音声の模倣学習手段を提供できる。また、ＩＣメモリに記録するため、人の学習音声を音源メディアへの録音動作は生じず、音源サンプルに書込むなどの影響はない。
【請求項３】
ＩＣメモリ中の音声データの呼出し速度を変えれば、音声の再生速度を変えることになる。音声学習トレーニングに効果的な再生速度の変更範囲を設定できる。
・速度を遅くする場合、約平常の６６％−−８３％。音声を細かく聞き取れ、分析できる。
・速度を速くする場合、約平常の１２０％−−１５０％。ヒアリングの強化訓練ができる。
ＩＣメモリに記録された音声データを上記の速度範囲で再生する場合、人の音声は歪みを最小限に抑えながら、きれいに聞き取れる。
【請求項４】
音声学習プログラム：（図３を参照）
教本となるサンプル音声（Ａ）は再生時、ＩＣメモリに自動的記録される。サンプル音声（Ａ）に一定時間の空白があれば、区切りと認識し、ＩＣメモリ中に記録されたサウンドデータＳＤ（Ａ）が自動的に数回再生。もしＳＤ（Ｂ）に人の声も吹き込んだ場合、ＳＤ（Ａ）に続きとＳＤ（Ｂ）と連続再生を数回繰り返す、ＳＤ（Ａ）とＳＤ（Ｂ）の比較になる。その後、サウンドデータをリセットし、サンプル音声（Ａ）の再生を継続。
【発明の詳細な説明】
【０００１】
【発明の属する技術分野】音声学習技術分野
【０００２】
【従来の技術】従来の技術ではメディアが音声を再生と記録できるが、二つ音声の比較再生ができない、或いはコストが高い、操作が煩わしく普及できない。本発明はこれらの問題をＩＣメモリの介在で簡単に解決できる。さらにほとんどの操作はＩＣメモリを利用するため、サンプル音声に影響しない、機械的の消耗は最大限に抑える。
【０００３】
【特許文献１】特許出願平１１−２２４６１０
【特許文献２】特許出願平６−１７５０３５
【０００４】
【発明が解決しようとする課題】低コスト実用的な音声比較学習器を作成。
【課題を解決するための手段】普通の音声メディアとＩＣメモリを結合し、メディアからＩＣメモリ中に一度音声データを記録した場合、ＩＣメモリだけで「巻き戻し、早送り、再生、再生速度変更」の機能を繰返し実現できる。教本となるサンプル音声と自分の音声をＩＣメモリの再生により、自分の音声を自分の耳で再確認し、教本となるサンプルの音声と比較機能を実現。
【発明の実施の形態】
・音源再生コントロール▲１▼でサンプル音声（Ａ）を再生するとき、ＩＣメモリに自動的に記録する。アナログの音声をデジタルに変換し、サンプリングとＩ／Ｏ処理及び圧縮処理によって、ＩＣメモリに記録できるわけ。
・メモリに記録されたデジタル音声データを再生するには、再生シグナルをサウンドデータアクセスコントロールに送り、ＩＣメモリのデータ記憶領域ＳＤ（Ａ）からデータを順番に呼び出し、データ復元とＩ／Ｏ処理を経由して、アンプで再生できる。
・繰り返しの再生は機械的なメディアを利用せず、ＩＣメモリで実現できるわけ。
・上記の手順と同様に、人間の音声（Ｂ）もマイク▲３▼でＩＣメモリに記録、再生できる。
・音声（Ａ）または音声（Ｂ）の再生中に、速度コンロールシグナルでデータの呼び出し速度を変えると、再生速度を自由に変更できる。聞き取りにくい短い音声も速度落としてじっくり聞くことができる。またＩＣメモリの音声データ再生を一時停止▲６▼あるいは高速に前後検索▲９▼ができる。
テスト結果により：
速度を遅くする場合、約平常の６６％−−８３％。音声を細かく聞き取れ、分析できる。
速度を速くする場合、約平常の１２０％−−１５０％。ヒアリングの強化訓練ができる。
・事前に学習プログラムを組めば、自動的に学習機能を実現できる。このプログラムのフローチャートは図３にて提示。
・人間は自分が発音するとき、その正確さを把握にくい。自分の声をメディアに記録し、教本となるサンプル音声と比較しないと自分の欠点が分からない。この発明は人間の音声学習課題を解決につながる。
教本となるサンプル音声（Ａ）は再生時、ＩＣメモリに自動的記録される。サンプル音声（Ａ）に一定時間の空白があれば、区切りと認識し、ＩＣメモリ中に記録されたサウンドデータＳＤ（Ａ）が自動的に数回再生。もしＳＤ（Ｂ）に人の声も吹き込んだ場合、ＳＤ（Ａ）に続きとＳＤ（Ｂ）と連続再生を数回繰り返す、ＳＤ（Ａ）とＳＤ（Ｂ）の比較になる。その後、サウンドデータをリセットし、サンプル音声（Ａ）の再生を継続。
【実施例】語学教育、歌と発音などの音声教育、聴覚と発音に障害のある方のトレーニング。
【発明の効果】語学教育、歌と発音などの音声教育、聴覚と発音に障害のある方のトレーニングに役に立つ。
【図面の簡単な説明】
【図１】音声比較学習器の機能説明図
【図２】音声比較学習器の構成原理図
【図３】音声学習機能プログラムのフローチャート
【符号の説明】
ＳＤ：    サウンドデータ（Ｓｏｕｎｄ  Ｄａｔａ）
ＩＣメモリ：    データを記録できる集積回路
音声検索：    ＩＣメモリに記録した音声データをアクセスし、検索すること
Ｄ＜＝＞Ａ変換：    デジタル信号とアナログ信号の双方向変換
ＣＰＵ：    セントラルプロセスユニット
Ｉ／Ｏ処理：    データの入出力処理
【図１】
2004240352.tif 000003
【図２】
2004240352.tif 000004
【図３】
2004240352.tif 000005
(57)【要約】【課題】商用の看板に対して、その場の温度を分からせる寒暖計のような装置を設けることにより、看板を見る人に対して今まで以上に注目させる一方、夜間や遠目でも見る人に対し確認が容易である看板を課題とする。【解決手段】商用の看板に寒暖計の表示機能を持たせるため、寒暖計のアルコール管のイメージをＬＥＤ表示部１（請求項１）の点灯の具合によって表すか、あるいは着色された薄い帯材２（請求項２）にて表現し、リール３を介したモーター４の制御によって駆動させる手段によって温度を表せるものとするが、両請求項とも屋外での設置を考慮して全天候に対処させると共に夜間においても表示可能なものとする。【選択図】    図１
2004240378.tif 000002
【特許請求の範囲】
【請求項１】
本発明は商用の看板に寒暖計の表示機能を持たせるため、看板内部にＬＥＤ表示部１の他、温度センサーとそれらを制御するコントロール基盤を設置させ、ＬＥＤ表示部１においては、その形状を寒暖計のアルコール管のイメージを表現させ、その部分だけが看板の外側から見えるように配置すると共にＬＥＤの点灯の具合で、その場の温度を分からせることを可能とし、合わせて看板自体の内容にも、より注目させる効果を持たせたものである。
【請求項２】
本発明は商用の看板に寒暖計の表示機能を持たせるため、寒暖計のアルコール管のイメージを着色された薄い帯材２に変更させ、その部分だけが看板の外側から見えるように配置し、帯材２をリール３を介したモーター４によって駆動させるものとするが、その際に温度センサーからの情報にも基づいて制御させることで、その場の温度を分からせることを可能とし、合わせて看板自体の内容にも、より注目させる効果を持たせたものである。
【発明の詳細な説明】
【０００１】
【発明の属する技術分野】
主に屋外に設置させる商用の看板に関する。
【０００２】
【従来の技術】
従来、商用の看板は主に屋外に設置され通行人に対し、店名やそれに付随する案内等を表示しており、寒暖計においては看板とは別に独立して存在し、屋外用については主に電光掲示板タイプのものが採用され、気温は数字で表されているものがほとんどである。
【０００３】
【発明が解決しようとする課題】
本発明は商用の看板に寒暖計の機能を持たせる為に、主に屋外に設置されることを考慮した上で、その場の温度を計るセンサーなどの装置などを看板内部にを設ける一方、遠目でも見る人に対し分かりやすく判断させるため、一般のアルコール方式の寒暖計のイメージ持たせると共に、従来より大きな表示部と夜間においても確認できる機能を合わせ持つものとする。
【０００４】
【課題を解決するための手段】
請求項１に記載の発明は、商用の看板に寒暖計の表示機能を持たせるため、看板内部にＬＥＤ表示部１の他、温度センサーとそれらを制御するコントロール基盤を設置させ、ＬＥＤ表示部１においては、その形状を寒暖計のアルコール管のイメージを表現させ、その部分だけが看板の外側から見えるように配置すると共にＬＥＤの点灯の具合で、その場が何度であるかを客観的に分からすことを可能とする。
【０００５】
請求項２に記載の発明は、商用の看板に寒暖計の表示機能を持たせるため、寒暖計のアルコール管のイメージを着色された薄い帯材２に変更させ、その部分だけが看板の外側から見えるように配置し、帯材２をリール３を介したモーター４によって駆動させるものとするが、その際に温度センサーからの情報にも基づいて制御させることで、その場が何度であるかを客観的に分からすことを可能とする。
【０００６】
【発明の実施の形態】
本発明は上記の手段を講じることで、請求項１においては外見上は、図１に示すようにＬＥＤ表示部１を寒暖計のアルコール管のイメージを表すように配置するものとし、請求項２においては図３に示すように管部分のイメージを着色された薄い帯材２に変更させ、リール３を介したモーター４の制御によって駆動させるもので、両請求項とも商用の看板に寒暖計の機能とイメージを合わせ持ち、屋外での設置を考慮して全天候に対処させると共に夜間においても表示可能なものとする。
【０００７】
【実施例】以下、図面に示す実施例について詳細に説明する。
【０００８】
この実施例の請求項１と請求項２において、共通した事項に図１と図２に示すように看板部分と寒暖計を模した表示部はデザインは互いに干渉しないように配置し、本発明を看板自体の内側に設置するものとするが、寒暖計のアルコール管を模した部分については透明あるいは半透明にして看板の外側から見えるようにする一方、表示部の脇には寒暖計としての目盛りと温度の数値を表示をするものとする。
【０００９】
この実施例の請求項１においてはＬＥＤ表示の特性を生かし、気温表示の他にＬＥＤ表示部１の配列されたＬＥＤを順次に点灯させたり消灯させるなど、イルミネーションのような演出も付け加えることができるもとする。
【００１０】
この実施例の請求項２においては、看板自体の内側に寒暖計のアルコール管のイメージを薄い帯材２に変更させて表現し、赤く表現される部分を赤などの濃い色で着色し、リング状にしてから二つにあるリール３にキャタピラのように巻き付け、接続させたモーター４の駆動により寒暖計のアルコール管の赤い部分が気温によって変化するように見せることができる。また図３に示すように帯材の間には夜間の使用を考慮して蛍光灯５などの光源を設置し、着色された帯材２も透過光式のものにすることではっきりと表示できるものとする。
【発明の効果】
本発明は見慣れてしまうと見向きもされなくなってしまうことが多い従来の看板とは違い、時間によって変化する気温を寒暖計のように表示することにより、そこを通る人達に自然と振り返させるような効果を持ち、合わせて書かれている看板の内容についても見てもらう頻度についても高くすることができる。
【図面の簡単な説明】
【図１】請求項１に係る斜視図である。
【図２】請求項２に係る斜視図である。
【図３】請求項２に係る、帯材の駆動装置の斜視図である。
【符号の説明】
１    ＬＥＤ表示部
２    帯材
３    リール
４    モーター
５    蛍光灯
【図１】
2004240378.tif 000003
【図２】
2004240378.tif 000004
【図３】
2004240378.tif 000005
(57)【要約】      （修正有）【課題】コンピュータを利用して，入力された線を認識して文字の正確さを判断する。また，選択範囲の通過する順番で筆順が正確か判断することにより，文字を学習する装置に関するものである。【解決手段】輪郭線２を透明にし，線１をなぞることによって，輪郭線２を越えないで線をなぞった場合正解とし，輪郭線２を越えて線をなぞった場合不正解とする。輪郭線２の幅を変化させることによって，広ければ幼児。狭ければ小学生と，学習のレベルを設定することができる。また，範囲を指定しその範囲を通過する順番で筆順を判断し，より効果的に学習することができる。【選択図】  図１
2004240380.tif 000002
【特許請求の範囲】
【請求項１】
入力された線が基本パターン内に入っているかを比較することにより，学習の効果を高めることができる。
【請求項２】
入力された線の通過する範囲の順番で，筆順を学習することができる。
【発明の詳細な説明】
【発明の属する技術分野】
この発明はコンピュータを利用して，入力された線を認識して文字の正確さを判断する。また，選択範囲の通過する順番で筆順が正確か判断することにより，文字を学習する装置に関するものである。
【従来の技術】
従来は紙により線をなぞることによって文字や筆順を学習していた。よって，文字を学習するにあたり多くの紙を消費し，子供では正しく文字が書けたか判断できず第三者がうまく書けたか判断するしか方法がなかった。筆順も一つの文字を分解して学習するしか方法がなく，効率的に独習する方法がなかった。
【発明が解決しようとする課題】
子供が文字を学習するにあたり多くの紙を消費し，子供では正しく文字が書けたか判断できず第三者が判断指導するしか方法がなかったが，この発明はコンピュータを利用して線をなぞることによって入力された線を認識して，線がはみ出た場合どこがよくないか，子供でもすぐに認識することができる。また，選択範囲の通過する順番で筆順が正確かすぐに判断することができるので，効果的に独習することができる。
【課題を解決するための手段】
（イ）文字に輪郭線をつける。
（ロ）学習能力にあわせて輪郭線と，線の距離を広くしたり狭くしたりする。
（ハ）範囲の通過する順番を認識させ，筆順をチェックする。
こうすることにより学習能力に応じて文字などの書き方や筆順を独習できる。
このような簡単な方法で，問題を解決したものである。
【発明の実施の形態】
本発明の形態を「あ」という字で述べると，線（１）をなぞることによって「あ」という字を書くことができる。輪郭線（２）を越えないで線をなぞった場合正解とし，輪郭線（２）を越えて線をなぞった場合不正解とする。輪郭線（２）の幅を変化させることによって，広ければ幼児。狭ければ小学生と学習のレベルを設定することができる。
範囲（３）を指定しその範囲を通過する順番で筆順を判断する。
また，輪郭線（２）を透明にし，線（１）をなぞることによってより効果的に学習することができる。
【発明の効果】
線をなぞることにより，正しい筆順で正確な文字が書けるようになる。
【図面の簡単な説明】
【図１】本発明の輪郭線
【図２】本発明の範囲指定
【符号の説明】
１は線
２は輪郭線
３は範囲指定
【図１】
2004240380.tif 000003
【図２】
2004240380.tif 000004
(57)【要約】【課題】アクセサリー等の小形商品を吊り下げ販売する際の販売用具に付加価値を持たせ、これにより小形商品に対する購買意欲を高めて販売を促進する。【解決手段】小形商品を吊り下げ状態として展示販売するための販売用具１において、その一部に当該販売用具１自身の付加価値を創出する付加価値創出部を備えるようにし、例えば、販売用具１表面にシール片７が取り外し可能に設けられてなる構成とする。【選択図】  図１
2004240382.tif 000002
【特許請求の範囲】
【請求項１】
小形商品を吊り下げ状態として展示販売するための販売用具において、
その一部に当該販売用具自身の付加価値を創出する付加価値創出部を備えることを特徴とする販売用具。
【請求項２】
前記付加価値創出部が、当該販売用具表面にシール片が取り外し可能に設けられてなる構成である請求項１記載の販売用具。
【請求項３】
全体がプラスチックフイルム上に紙シートが積層された２層構造よりなり、その紙シートの一部が前記シール片となっている請求項２記載の販売用具。
【発明の詳細な説明】
【０００１】
【発明の属する技術分野】
この発明は、アクセサリーや小物雑貨等の小形商品を吊り下げ展示販売するための販売用具に関する。
【０００２】
【従来の技術】
アクセサリー等の小形商品は、例えば、通常ヘッダーと呼ばれる吊り下げ形態の販売用具を用いて展示販売している。この販売用具は紙製で、下部に商品の保持部を備えるとともに上部に吊り下げ孔が形成され、その吊り下げ孔がフックに係止されて販売に使用される。販売用具表面には装飾模様が付されていて、商品の購入後は商品から切り離され破棄される。
【０００３】
【発明が解決しようとする課題】
この販売用具は、上記のように表面に装飾模様が付されアクセサリー等の商品の見栄えをより高めて消費者の購買意欲を高めるのに役立つが、購入後は破棄されるだけで十分に利用されていないのが現状である。
【０００４】
この発明は上記の事情に鑑みて行なったもので、販売用具の付加価値を高め、販売する小形商品に対する購買意欲をより高めることを目的とする。
【０００５】
【課題を解決するための手段】
この発明では、小形商品を吊り下げ状態として展示販売するための販売用具において、その一部に当該販売用具自身の付加価値を創出する付加価値創出部を備える構成とする。このような構成とされることで、従来は単に破棄されるだけであった販売用具の価値が高められ、これにより吊り下げられる小形商品の販売が促進される。販売用具は直接小形商品を吊り下げる形態のものの他、透明の商品を包む袋の上部に内装される形態のもの等適宜の形態とされる。
【０００６】
上記付加価値創出部が販売用具表面にシール片が取り外し可能に設けられてなる構成とされることで、購入者は小形商品を購入することでシール片も同時に入手でき、これにより販売用具が小形商品と一体となることで商品の販売が促進される。販売用具は通常各種デザインが付されており、その部分がシール片として有効に利用できる利点もある。
【０００７】
全体がプラスチックフイルム上に紙シートが積層された２層構造よりなり、その紙シートの一部がシール片となっている構成とされることで、販売用具がプラスチックスフィルムにより補強され、吊り下げ販売時のフック等への係止が安定して行なわれる。
【０００８】
【発明の実施の形態】
図１はこの発明の販売用具であるヘッダーの使用前の正面図、図２は図１に示すものの断面図である。ヘッダー１は全体がプラスチックフイルム３上に紙シート５が積層された２層構造よりなり、上下対称形態となっている。紙シート５面には全面に装飾模様が付され、上下部それぞれの大小のハート模様部分７の周縁には切り込み９が形成されている。プラスチックスフィルム３上への紙シート５の取り付けは紙シート５裏面の粘着層により行なわれており、したがって上記のように紙シート５に切り込み９が形成されたことでその大小のハート模様部分７それぞれはプラスチックフィルム３から取り外せ、かつ、さらに裏面に粘着層を持つことでシール片として任意の物の表面に貼り付け使用することができるようになっている。１１それぞれは吊り下げ孔形成用の切り込みで、この切り込み１１は紙シート５とプラスチックフィルム３との両方に連続して形成されている。
ヘッダー１は使用前時には離形ベース紙上に複数のものが貼られている。
【０００９】
図３は使用時の正面図、図４は図３に示すものの断面図である。使用に際しては、ヘッダー１を離形ベース紙から外し、例えば、商品であるアクセサリーの吊り紐１０を係止するように中央でプラスチックフィルム３側で折り曲げ、そのプラスチックフィルム３面どうしを貼りつける。そして、合致した切り込み１１部分を切り抜くことで吊り下げ孔１２を形成し、その吊り下げ孔１２部分でフック等に吊り下げて販売に使用する。そして、図５、図６に示すように、購入した後に顧客は所望により大小のハート模様部分７それぞれをプラスチックフィルム３面から取り外しシール片として使用する。１５はハート模様部分７の切り抜き跡である。
【００１０】
図７は他の実施形態を示し、このものでは販売用具２１は透明の袋２３内の上部に納められ商品はその袋２３内に納められて販売される。この販売用具２１面にもシール片２５が切り抜き可能に付設されている。２７は吊り下げ孔である。
【００１１】
【発明の効果】
この発明によれば、従来は単に破棄されるだけであった吊り下げ販売用具の価値が高められ、この販売用具を使用することにより小形商品の販売が促進されるようになる。
【図面の簡単な説明】
【図１】この発明の実施形態の販売用具の使用前の正面図
【図２】図１に示すものの断面図
【図３】この発明の実施形態の販売用具の使用時の正面図
【図４】図３に示すものの断面図
【図５】この発明の実施形態の販売用具のシール片取り外し時の部分正面図
【図６】図５に示すものの断面図
【図７】この発明の他の実施形態の正面図
【符号の説明】
１  ヘッダー（販売用具）
３  プラスチックスフィルム
５  紙シート
７  ハート模様部分（シール片）
【図１】
2004240382.tif 000003
【図２】
2004240382.tif 000004
【図３】
2004240382.tif 000005
【図４】
2004240382.tif 000006
【図５】
2004240382.tif 000007
【図６】
2004240382.tif 000008
【図７】
2004240382.tif 000009
(57)【要約】【課題】立看板等の案内板は日中の太陽光で機能していますが，夜間は外部照明による光源で機能し効果は低くなります。【解決手段】夜間の立看板をうまく機能させるために、看板の文字、絵柄と同系のチューブ入り発光体を看板の中に埋め込み遮光保護板を使用し明瞭で耐久性のある、夜間でも一際目立つ看板といたします。【選択図】  図１
2004240384.tif 000002
【特許請求の範囲】
【請求項１】
立看板の文字、絵柄に同系色のチューブ入り発光体を埋め込み取り付ける。
【発明の詳細な説明】
【０００１】
【従来の手段】現在の表示板若しくは立看板を扱っている方々は、ペイントインクの素材加工に思考を凝らし、蛍光インク、高反射板などを開発しています。
【０００２】発光体を利用する方々は、ＬＥＤ（発光ダイオード）等、高価な商品開発に専念しています。
【０００３】チューブライトを扱っている方々は、光の透過性を利用して透明なチューブを支える支持体を使っています。また、光が目立たないのでチューブを支える支持体は黒色を使用しています。
【０００４】
【発明の要点】この発明は取り扱いの簡易なチューブ入り発光体の色と支持体の色を同系色にしたものであり、支持材に埋め込む事により発光体の余分な光を遮光板にて遮り見やすい看板になります。また、透明保護板を取り付ける事により耐久性が良くなります。
【０００５】
【従来の問題点】従来の立看板自体は日中のみ効果があります。また、夜は外部ライトにより一時的な照射で目立たせる方法と、車などのライトによる照射で蛍光もしくは高反射塗料を使って目立たせる方法をとっています。また、全体にＬＥＤ半導体を使った高級な立看板もありますが発光しなければ機能しません。
【０００６】
【発明の実施の形態】本発明は従来の立看板をより目立つように文字、絵柄に同系色の取付が簡易なチューブ入り発光体を内蔵し余分な光を遮光板にて遮り見やすい看板とし、透明保護板を取り付ける事により耐久性も向上させ、日中から夜までも目立ち表現豊かで耐久性の有る看板になります。また、発光体の常灯、点滅、流れ点滅などの効果により夜間は一段と目立つ効果を有します。
【０００７】
【発明の効果】夜間、車にて走行中または歩行者が通行中、立看板が非常に見にくい状態にあります。今回の発明によりこの問題は著しく改善し、夜間において遠方からいち早く標示確認ができ、安全性を向上させる事が出来ます。また、保護板を取り付ける事により耐久性が良くなります。
【図面の簡単な説明】
【図１】看板
【図２】看板断面
【図３】看板内部
【図４】文字型抜き遮光板
【符号の説明】
１看板    ２発光体    ３チューブ    ４遮光板    ５透明保護板
（４は、透明保護遮光板を取り付ける事もあり。）
６電源    ７切抜き文字
【図１】
2004240384.tif 000003
【図２】
2004240384.tif 000004
【図３】
2004240384.tif 000005
【図４】
2004240384.tif 000006
(57)【要約】【課題】立看板等は昼夜の表示変化が少なく、夜間は特に目立たなくなります。【解決手段】昼間の立看板は、立看板の表面にメッシュ材を使用しその上に文字、絵柄を表現して太陽の光で認識できるようにします。夜間は、立看板に内臓されたチューブ入り発光体により、看板表面のメッシュ材の透光性を利用して光を通過させ文字、絵柄を認識できるようにし一際目立つ看板にいたしました。【選択図】  図３
2004240385.tif 000002
【特許請求の範囲】
【請求項１】
昼間は、太陽光で看板表面の文字、絵柄を表現し、夜間は立看板に埋め込んだチューブ入り発光体により、看板表面と違う文字、絵柄を表現します。
【発明の詳細な説明】
【０００１】
【従来の手段】
【０００２】現在の、表示板は、昼夜同じ情報を表現しています。
【０００３】立看板を扱っている方々は、ペイントインクの素材加工に思考を凝らし、蛍光インク、高反射板などを開発していますが、昼夜は同じ文字、絵柄を表現しています。
【０００４】発光体を利用する方々は、ＬＥＤ（発光ダイオード）等、高価な商品開発に専念していますが、ＬＥＤ発光体のパターン変化でのみです。
【０００５】チューブライトを扱っている方々は、光の透過性を利用して透明なチューブを支える支持体を使っています。また、光が目立たないのでチューブを支える支持体は黒色を使用しています。
【０００６】
【発明の要点】この発明は、昼間は取り付けたメッシュ布若しくはメッシュ板に文字、絵柄を記し太陽光により文字、絵柄を表現できます。夜間は看板に埋め込んだチューブ入り発光体により看板表面に取り付けたメッシュ材料の透光性を利用して看板表面と違う文字、絵柄を表現します。
【０００７】
【従来の問題点】従来の立看板自体は昼夜同じ表現しか出来ず、変化の少ない、目立たない物となっています。また、看板自体は日中のみ効果があります。夜間は外部ライトにより一時的な照射で目立たせる方法と、車などのライトによる照射で蛍光もしくは高反射塗料を使って目立たせる方法をとっています。また、全体にＬＥＤ半導体を使った高級な立看板もありますが発光しなければ機能しません。
【０００８】
【発明の実施の形態】本発明は従来の立看板をより目立つように昼夜に変化をあたえ、夜間の発光体の発光により日中と夜、まったく違う文字、絵柄を表現し、一日中目立つようにしました。また、文字、絵柄に同系色の取付が簡易なチューブ入り発光体を内蔵し余分な光を遮光板にて遮り見やすい看板とし、透明保護板を取り付ける事により耐久性も向上させ、日中から夜までも目立ち表現豊かで耐久性の有る看板になります。発光体の常灯、点滅、流れ点滅などの効果により夜間は一段と目立つ効果を有します。
【０００９】
【発明の効果】日中と夜、まったく違う文字、絵柄を表現し、一日中目立つようにしました。また、夜間、車にて走行中または歩行者が通行中、立看板が非常にみにくい状態にあります。今回の発明によりこの問題は著しく改善し、夜間において遠方からいち早く標示確認が出来、安全性を向上させる事ができます
【図面の簡単な説明】
【図１】昼間の看板
【図２】看板断面
【図３】夜間の看板
【符号の説明】
１昼間の看板  ２看板断面  ３夜間の看板  ４メッシュ板  ５透明遮光板
６発光体  ７チューブ
【図１】
2004240385.tif 000003
【図２】
2004240385.tif 000004
【図３】
2004240385.tif 000005
(57)【要約】      （修正有）【課題】一般市民に対する警察情報の開示に要する時間を減らす。【解決手段】警察情報の開示をポスター等の紙ペースではなく、独自のサーバを解説構築し、指名手配者、家出人、行方不明者の他、ひき逃げ車両や当て逃げ車両、並びに突発事件などの目撃情報等の公開協力を必要とする事件についての画像情報を、ポップ端末等の電子媒体によりリアルタイムに開示できる。【選択図】    図１
2004240381.tif 000002
【特許請求の範囲】
【請求項１】
警察署並びに交番及び適宜なる場所の壁面、あるいは移動体内にて公開手配／行方不明者を中核とした必要情報を、本「Ｐ−ＳＡＴ  ＳＹＳＴＥＭ」を用いた機器にて公開露出放映し、通行人や待ち合わせ等を含む一般市民に強く訴え、広く捜索協力を仰ぐ目的を実現させるモデルである。
【発明の詳細な説明】
【０００１】
【発明の属するビジネスモデル】
このビジネスモデルは、ウェーブ上に特化された独自のサーバを開設構築し、情報露出専用端末である「Ｐ−ＳＡＴ  ＳＹＳＴＥＭ」に、指名手配者・家出人・行方不明者の他、ひき逃げ車両や当て逃げ車両、  並びに突発事件の目撃情報等の公開協力を肝要とする、二次元（平面画像）あるいは三次元（立体画像）の画像情報（人物写真／顔写真／着衣服装／当該事件と同型の車両等の資料）と付随する文字情報を顕し、状況に応じては合成を含む音声情報も添加して、より高密度であり且つ認識率を高める効果を狙うものである。
【０００２】
【従来のスタイル】
これ迄の同類の公開情報の露出は、各警察署と交番の壁面にチラシやポスター（印刷媒体）を掲示する方法が主であり、従にして鉄道駅／港湾／飛行場構内、あるいは希にして百貨店等の壁面も用いられてきた。一度貼られたチラシ／ポスターは、管理者である責任者の指示があるまで掲示が続けられている。
【０００３】
【ビジネスモデルが解決しようとする課題】
印刷物にあっては、交番等ではその掲示するスペースには限りがあるばかりか、大量に貼付掲示した場合、総ての情報がそれぞれ強烈な自己主張でアピールする性質を有しているものだけに、当該壁面は混然とし、結果として総てが埋没してしまっている例も見受けられる。又、ハードコピー（印刷物）の常として、直射日光に晒されて時間が経緯すると共に、刷り色が退色してしまい、初期の効果を発揮出来ぬまま放置されているものも少なくないばかりか、事件等が解決しても尚、管理者の指示忘れや実務者の剥がし忘れから、時宜を外れたものも放置されていたケースも多々見かけられた。
本「Ｐ−ＳＡＴ  ＳＹＳＴＥＭ」は、これらの総てを一挙に解決すると同時に、コンビニ電車やバス、タクシー等の事業者との提携が出来れば、公共での情報露出も成立させる。
【０００４】
【課題を解決するための手段】
１．変色・退色の少ない映像モニタを端末機器に採用する
２．当該端末機器に、２．３次元の映像を含む画像情報並びに文字情報を露出させる
３．状況により合成・加工処理を含む音声情報も露出させる
４．コンピュータ制御によりリアルタイム発信を可能とする
５．発信情報の質によっては、全国一律の露出ではなく、エリア識別機能や個別露出機能を付加する
【０００５】
【ビジネスモデルの実施の形態】
１我が国の公安行政区分に従い、警察庁を頂点として都道府県警／管轄下警察署／交番／駐在所を、ピラミッド状に階層設定する。
２縦割りの階層と横のエリアとを重層・複層化したブロック群を適宜形成し、それぞれの間をも有無線ネットのウェーブラインで結びつけた立体モデリングを形作る。
システムの管理の形態
１各ブロックには「Ｐ−ＳＡＴ  ＳＹＳＴＥＭ」の管理者（下級管理者）を設ける。
２下級管理者は、受け持ちブロックに対してのみ発信権限を有する。
３ブロックとブロックを結びつけたエリアには、管理者（中級管理者）を設ける
４中級管理者は、受け持ちエリアに対してのみ発信権限を有する
５エリアを統合したピラミッドの頂点にあたる部分にも管理者（上級管理者）を設ける
６上級管理者は、総ての「Ｐ−ＳＡＴ  ＳＹＳＴＥＭ」に対しての発信権限を有する
システムの運用の形態
１警察署／交番並びに不特定多数の一般人が集まる建物等の壁面に取付あるいは床から立ち上げ、又は天井からの吊り下げ等の方法にて、本情報端末機器を設置する
２公共移動体事業者との提携を進め、電車・バス・タクシー・船等にも、本情報端末機器を設置
３妨害や悪戯による破壊を想定し、必要に応じ強化ガラス（強化樹脂）等で露出全面を防御対策する
４本情報端末機器をシステム運用する目的から、サーバ（複数基）経由にてホストコンピュータと接続させる
５このサーバ（複数基）はシステム内に設備され、情報の種類や緊急度合いによりエリア／ブロック毎に区分配信する
６発信情報はいつでも必要なときに必要なものと更新可能なプログラムとなっているばかりか、万一の緊急時に於いては、他の総ての露出情報を抑えて「割り込み発信」をすることも可能である
７失踪ペットの捜索依頼等の、一つの駐在所あるいは一交番レベルでのみ発信したい限定情報にあっては、その内容を制作し記憶させたコンパクトフラッシュ並びにメモリーカードにて、露出表示する機能も有している
８コンビニのレジ上に付いてあるポップ端末に情報を表示できる
９その他すでに設置されている画面表示ができる端末に接続できる
【０００６】
【ビジネスモデルの実施の効果】
１高齢化が進んでいる我が国にあって、老人の失踪は増加こそすれ低減されることはない。そうした老人の中には、疾病の具合や体調状況から一刻を争うケースもあり、映像・画像で主体を再現させる「Ｐ−ＳＡＴ  ＳＹＳＴＭ」は、その保護に貢献する。
２今や家族の一員とさえ言われるペットの失踪は、その家庭にとっては「大事件」である。迷子のペットの発見と確保にも「Ｐ−ＳＡＴ  ＳＹＳＴＥＭ」は確実に役立つ。
３映像・画像のイメージングに加え、音声表現も可能にした「Ｐ−ＳＡＴ  ＳＹＳＴＥＭ」の指名手配情報や失踪者捜索依頼は、これまでのポスター形式よりも格段の注目率を集めるため、早期実績に結びつき役立つ。
４「Ｐ−ＳＡＴ  ＳＹＳＴＥＭ」は、これを「ひとつの情報放送局」とみなして、全国津々浦々に同一内容の情報を流せるだけでなく、東北／甲信越．と地方毎にも、東京都／埼玉／神奈川．と地方自治体別にも又、港区／中央区／中区．、あるいは３．５丁目とか、たったひとつの駐在所だけに発信することも可能．と、多用に加えてきめ細かい発信分類が可能であるため、平穏なる時期にあっては広報媒体としての活用も可能であり、ＰＲ活動にも貢献する。
５本システムには、露出情報を選択出来るタッチパネルの基盤や、即時通報  即時連絡を満足させ双方向通信に対応するウェブカメラ並びに内蔵マイクロフォン基盤も整備されるため、時代の要請につれては、警察と市民とのコミュニケーション・ツールにも発展する素質を有している。
【図面の簡単な説明】
【図１】本ビジネスモデルのネットワーク図
【図２】ポップ端末の設置例図
【図１】
2004240381.tif 000003
【図２】
2004240381.tif 000004
(57)【要約】【課題】室内楽及びオーケストラ合奏などで、練習の効率向上を図るため、各楽器毎のパート譜と共に総譜を掲示出来る総譜用譜面台を提供する。【解決手段】中央板（１）下アングル（２）上板（３）側板（４）で総譜掲示面を構成し、既存の譜面台（９）に側板（４）の先端と、支え板（５）で支持固定することを特徴とする。【選択図】  図１
2004240388.tif 000002
【特許請求の範囲】
【請求項１】
中央板（１）、下アングル（２）、上板（３）側板（４）により構成する総譜掲示面を、既存の譜面台に支持させ、パート譜と共に総譜を掲示する総譜用譜面台。
【発明の詳細な説明】
【０００１】
【発明の属する技術分野】
この発明は、鍵盤楽器以外の各楽器の演奏に用いられる既存の折畳み式譜面台に於て、各楽器毎のパート譜と共に総譜を掲示する総譜用譜面台に関するものである。
【０００２】
【従来の技術】
従来の譜面台は、楽譜を掲げる掲示面が一面しかなく大きさも限られているため、楽器の演奏に必要な楽器毎のパート譜、或いは総譜の何れかのみしか掲示することしか出来なかった。
【０００３】
【発明が解決しようとする課題】
従来の譜面台は、楽譜を掲げる掲示面が一面しかなく、室内楽及びオーケストラ合奏の練習などで、他楽器との関係を知り練習の効率向上と各楽器の調和を図るため、パート譜と共に総譜の参照が必要となった場合には、その都度練習を中断し、床上又は椅子の上などに置かれた総譜を取り上げ、必要頁を開いて読譜しなければならなかったそのため楽器を片手で支えたり、手放して床に置いたりしなければならず、不安定で時間の無駄が多く極めて不便であった。
練習の効率向上を図り、時間の無駄をなくすため、其の時々の必要に応じパート譜、総譜の何れもが容易に読譜出来る譜面台が要望されていた、本発明はパート譜と共に総譜を掲示し、これらの問題点と不便を解消するために発明されたものである。
【０００４】
【課題を解決するための手段】
中央板（１）、下アングル（２）、上板（３）側板（４）を四辺形に構成し、各格点を鋲（７）によるピン結合とする、側板（４）の先端は折り曲げてフックとする、中央板（１）の裏面にはブラケツト（６）を接合し、ピン（８）を中心として半回転出来る様支え板（５）を取り付ける、支え板（５）の先端は譜面台の支柱（１１）を挟み込める様Ｕ字形の切込みを設ける。
本発明は以上の通り構成され、側板（４）の先端のフックと、支え板（５）により既存の譜面台（９）に支持させて使用する総譜用譜面台である。
【０００５】
【発明の実施の形態】
以下、本発明の実施の形態について説明する。
（イ）中央板（１）下アングル（２）上板（３）側板（４）の各格点は鋲（７）によりピン結合とし、四辺形の総譜掲示面を構成させる。
（ロ）側板（４）の上部は表側に屈曲させ、先端のフックが譜面台の下アングル（１０）の縦面の裏側に引掛けられる様にする。
（ハ）中央板（１）の裏側にはブラケツト（６）を接合し、支え板（５）はブラケツト（６）に設けたピン（８）を中心として半回転出来る様構成し、支え板（５）の先端は、譜面台の支柱（１１）を挟み込める様Ｕ字形の切込みを設ける。
本発明は以上の様な構造で、これを使用する時は、既存の譜面台（９）を通常使用する高さ、傾斜に設置した後、総譜用譜面台の側板（４）の先端フックを譜面台の下アングル（１０）の縦面に裏側から引掛け支持させると共に、支え板（５）の先端のＵ字形の切込みの間に譜面台の支柱（１１）を挟み込ませ、高さ調節部の段差を支点として総譜用譜面台を固定する、総譜掲示面の傾斜角度は譜面台の支柱（１１）の長さを加減して調節することが出来る。
又、既存の譜面台の構造が強固で剛性に富む場合は、支え板（５）を省略し側板（４）の先端のフックのみで支持させることも出来る。
総譜用譜面台を使用しない時は、掲示面が鋲（７）によるピン結合で構成されているので、巾を縮める様に折り畳むことが出来、格納、携行に便利である。
定置して、常時使用し折り畳む必要のない場合は、各格点を剛結とすることも出来る。
【０００６】
【発明の効果】
本発明の総譜用譜面台は、既存の譜面台に支持させる構造なので、小型軽量で取り付け、取り外しが簡単容易であり、折り畳んで掲示面を縮小することが出来るので、楽器、楽譜、譜面台と共に携行し、何時でも、何処ででもパート譜と共に総譜を掲示して読譜することが出来、総譜を必要とするさまざまな形態の室内楽、及びオーケストラ合奏練習の際の不便を解消し、練習の効率向上に貢献するものである。
【図面の簡単な説明】
【図１】本発明の正面図である。
【図２】本発明の側面図である。
【図３】本発明の既存譜面台えの取付け状態を示す側面図である。
【符号の説明】
１．中央板、    ２．下アングル、  ３．上板、
４．側板、      ５．支え板、      ６．ブラケツト、
７．鋲、        ８．ピン、        ９．既存の譜面台、
１０．譜面台の下アングル、        １１．譜面台の支柱
【図１】
2004240388.tif 000003
【図２】
2004240388.tif 000004
【図３】
2004240388.tif 000005
(57)【要約】【課題】立看板等の案内板は昼の太陽光で機能していますが，夜間は外部照明による光源で機能し効果は低くなります。【解決手段】夜間の立看板をうまく機能させるために、看板の文字、絵柄と同系のチューブ入り発光体を使用し夜間でも一際目立つ看板といたします。【選択図】  図１
2004240383.tif 000002
【特許請求の範囲】
【請求項１】
立看板の文字、絵柄に同系色のチューブ入り発光体を取り付ける。
【発明の詳細な説明】
【０００１】
【従来の手段】現在の表示板若しくは立看板を扱っている方々は、ペイントインクの素材加工に思考を凝らし、蛍光インク、高反射板などを開発しています。
【０００２】発光体を利用する方々は、ＬＥＤ（発光ダイオード）等、高価な商品開発に専念しています。
【０００３】チューブライトを扱っている方々は、光の透過性を利用して透明なチューブを支える支持体を使っています。また、光が目立たないのでチューブを支える支持体は黒色を使用しています。
【０００４】
【発明の要点】この発明はチューブ入り発光体の色と支持体の色を同系色にし、文字、絵柄を発光させる事で、昼夜表示でき、夜間の表示は特に目立つものとなります．
【０００５】
【従来の問題点】従来の立看板自体は昼のみ効果があります。また、夜は外部ライトによる一時的な照射で目立たせる方法と、車などのライトによる照射で蛍光もしくは高反射塗料を使って目立たせる方法をとっています。また、全体にＬＥＤ半導体を使った高級な立看板もありますが発光しなければ機能はしません。
【０００６】
【発明の実施の形態】本発明は従来の立看板をより目立つように文字、絵柄に同系色の取付が簡易なチューブ入り発光体を配置し昼から夜までも目立つようにしました。また、発光体の常灯、点滅、流れ点滅などの効果により夜間は一段と目立つ効果を有します。
【０００７】
【発明の効果】夜間、車にて走行中または歩行者が通行中、立看板が非常にみにくい状態にあります。今回の発明によりこの問題は著しく改善し、夜間において遠方からいち早く標示確認が出来、安全性を向上させる事ができます。
【図面の簡単な説明】
【図１】看板
【図２】看板断面
【符号の説明】
１看板    ２発光体    ３チューブ
【図１】
2004240383.tif 000003
【手続補正書】
【提出日】平成15年5月7日(2003.5.7)
【手続補正１】
【補正対象書類名】図面
【補正対象項目名】全図
【補正方法】変更
【補正の内容】
【図１】
2004240383.tif 000004
【図２】
2004240383.tif 000005
(57)【要約】【課題】本発明は、電子写真式印刷装置本体と現像装置の電気的接続において、不十分なコネクタ嵌合による現像装置内部へのパワーＯＮで、電子写真式印刷装置の異常動作、または損傷を防ぐことを課題とする。【解決手段】電子写真式印刷装置本体内に現像装置を着脱自在に挿入し、前記電子写真式印刷装置本体内に前記現像装置を挿入することで両者が電気的に接続されるように構成した電子写真式印刷装置において、前記電子写真式印刷装置本体と前記現像装置の対向面に距離測定センサを設け、該センサによる両者間の測定距離により電気的接続状況を検出するようにした。【選択図】図１
2004240231.tif 000002
【特許請求の範囲】
【請求項１】
電子写真式印刷装置本体内に現像装置を着脱自在に挿入し、前記電子写真式印刷装置本体内に前記現像装置を挿入することで両者が電気的に接続されるように構成した電子写真式印刷装置において、前記電子写真式印刷装置本体と前記現像装置の対向面に距離測定センサを設け、該センサによる両者間の測定距離により電気的接続状況を検出するようにしたことを特徴とする電子写真式印刷装置本体と現像装置の接続検出方式。
【発明の詳細な説明】
【０００１】
【発明の属する技術分野】
本発明は、電子写真式印刷装置本体とこれに着脱自在に挿入される現像装置との電気的な接続状況を検出する接続検出方式に関するものである。
【０００２】
【従来の技術】
従来の電子写真式印刷装置本体と現像装置の接続について図２を用いて説明する。
【０００３】
現像装置１は、電子写真式印刷装置本体４との接続時に、該本体４内に具備された図示しないガイドに沿って移動し、本体４内に着脱自在に格納させることでに、自動的に電気接続部である接続コネクタ２と接続コネクタ６が接続される。
【０００４】
前記接続コネクタ２、６は、本体４と現像装置１が接続されていることを認識する信号線８を具備しており、信号線８の本体４側接続端子７と現像装置１側接続端子３が接触することで接続が認識され、現像装置１内部へのパワーＯＮを許可する条件となっている。
【０００５】
しかし、該信号線８は、電子写真式印刷装置本体４側の接続端子７と現像装置側の接続端子３が接触していることで接続を認識しているため、接続コネクタ２と接続コネクタ６が十分に嵌合されているか否かを認識することは不可能である。
【０００６】
図１において、（ａ）は接続前の状態、（ｂ）は正常接続時の状態、（ｃ）は接続不良の状態を示す。なお、５はコネクタ６の位置を調整する位置調整ネジを示す。
【０００７】
【発明が解決しようとする課題】
現像装置を頻繁に交換することにて、電子写真式印刷装置本体に位置調整して固定されている接続コネクタが、ゆるみ等で位置ズレを発生している場合、一部の接続端子が接触していない、或いは接続端子が接触したり、非接触となることで、電子写真式印刷装置に動作の異常、または損傷を発生させてしまう。
【０００８】
本発明は、現像装置交換を実施した電子写真式印刷装置の電気接続部において、接続コネクタが正常に嵌合しているか否かを認識し、電子写真式印刷装置の異常動作、損傷を防ぐことを目的としている。
【０００９】
【課題を解決するための手段】
上記課題は、電子写真式印刷装置本体と現像装置の対向面に距離測定センサを設け、該センサによる両者間の距離を測定し、これにより電気的接続状況を検出することで解決される。
【００１０】
【発明実施の形態】
以下、本発明を図１の実施例にて説明する。図１は電子写真式印刷装置本体と現像装置の電気接続部の断面概略図である。図１（ａ）において１が現像装置、２は現像装置側の接続端子３を具備する接続コネクタ、４が電子写真式印刷装置本体であり、電子写真式印刷装置側の接続端子７を具備する接続コネクタ６が、位置調整ネジ５にて現像装置側の接続コネクタ２と勘合する位置に固定されている。
【００１１】
８は接続端子３と接続端子７が接触することで接続を認識する信号線である。この信号線８は図１（ｂ）に示すように正常に接続コネクタ２と接続コネクタ６が嵌合している場合でも、図１（ｃ）のように接続コネクタ２と接続コネクタ６が十分に嵌合せずに、接続端子３と接続端子７がわずかに接触している場合でも現像装置１が接続されていると認識する。
【００１２】
そこで本発明は、電子写真式印刷装置本体の接続コネクタ６付近に具備された、１個あるいは複数個の距離測定センサ９にて電子写真式印刷装置本体４と現像装置１の間の距離１０を測定し、図示しない記憶装置にて記憶されている正常嵌合時の距離データと比較し、ある許容された誤差範囲を超えて距離１０が長い場合には、図示しない判断装置にて接続装置での接続異常と判断し、現像装置内へのパワーＯＮを許可しないようにしている。
【００１３】
【発明の効果】
以上説明したように本発明によれば、現像装置の交換を行った場合に電気接続部が正常に接続されていることを確認できるため、不十分な接続による電子写真式印刷装置の異常動作、損傷を防ぐことができる。
【図面の簡単な説明】
【図１】本発明の一実施例に基づく電子写真式印刷装置本体と現像装置の接続部の断面概略図。
【図２】従来の電子写真式印刷装置本体と現像装置の接続部の断面概略図。
【符号の説明】
１は現像装置、２は現像装置本体側の接続コネクタ、３は現像装置側の接続端子、４は電子写真式印刷装置本体、５は位置調整ネジ、６は電子写真式印刷装置本体側の接続コネクタ、７は電子写真式印刷装置本体側の接続端子、８は現像装置の接続を認識する信号線、９は距離測定センサ、１０測定距離である。
【図１】
2004240231.tif 000003
【図２】
2004240231.tif 000004
(57)【要約】【課題】本発明は、回転多面鏡モータのロック時におけるモータ駆動回路および回転多面鏡モータの発熱・焼損を防止し、且つ回転多面鏡モータの加速時間を従来と同等にする回転多面鏡モータ電流制限回路を提供することを課題としている。【解決手段】上記課題を解決するために、回転多面鏡モータ電流制限値を複数個有し、回転多面鏡モータの回転数に応じて、電流制限値を切替えるように制御を行なう。【選択図】            図１
2004240230.tif 000002
【特許請求の範囲】
【請求項１】
レーザ・ビーム発生手段と、前記レーザ・ビームを走査する回転多面鏡により潜像を感光体に形成する電子写真印刷装置において、回転多面鏡モータの回転数に応じて回転多面鏡モータの電流制限値を切替える手段を有することを特徴とする電子写真印刷装置。
【発明の詳細な説明】
【０００１】
【発明の属する技術分野】
本発明は、回転多面鏡モータを使用する電子写真印刷装置に関する。
【０００２】
【従来の技術】
従来技術の例を、図２を用いて説明する。
【０００３】
回転多面鏡モータ３に定電圧電源を接続して駆動した場合、回転多面鏡モータ３の起動時・加速時にはモータの逆起電力が小さいため、回転多面鏡モータ３には大きな電流が流れる。このため、一般的に電流センサ２により回転多面鏡モータ３に流れる電流を検出し、比較器１３により基準電圧１２と比較し、規定値より大きな電流が流れた場合、モータ駆動回路１の動作を停止させ、回転多面鏡モータ３に流れる電流が規定値以下になるよう制御を行なう。この制御は、回転多面鏡モータ３の起動時・加速時に使用され、回転多面鏡モータ３の回転数が上昇し、逆起電力が大きくなると回転多面鏡モータ３に流れる電流が小さくなり、比較器１３は動作しなくなる。
【非特許文献１】
「特集  ブラシレス・モータのサーボ回路技術」、トランジスタ技術  ＳＰＥＣＩＡＬ  Ｎｏ．７３、ＣＱ出版社、２００１年１月発行、ｐ．１０〜１１
【０００４】
【発明が解決しようとする課題】
回転多面鏡モータへの電流を制限する回路において制限する電流の値を１つにした場合、制限する電流の値は、「回転多面鏡モータの起動から規定回転数に達するまでの加速時間」、「回転多面鏡モータが規定回転数で回転している時の電流値を下回らないこと」を考慮して設定している。
【０００５】
一般的に、回転多面鏡モータの加速時間を短くするため、回転多面鏡モータへの電流制限値は高めに設定されている。このため、回転多面鏡モータがロックした場合には、モータ駆動回路および回転多面鏡モータには大きな電流が流れ、モータ駆動回路および回転多面鏡モータが発熱・焼損するという問題があった。
【０００６】
本発明は、回転多面鏡モータの回転数が低回転の場合には回転多面鏡モータへの電流制限値を小さくし、回転多面鏡モータの回転数が高くなったところで回転多面鏡モータへの電流制限値を大きくし、回転多面鏡モータの加速特性を損なうこと無く、回転多面鏡モータがロック時した場合においてもモータ駆動回路およびモータの発熱・破損を防止する制御回路を提供することにある。
【０００７】
【課題を解決するための手段】
上記課題を達成するため、本発明においては、レーザ・ビーム発生手段と、前記レーザ・ビームを走査する回転多面鏡により潜像を感光体に形成する電子写真印刷装置において、回転多面鏡モータの回転数に応じて回転多面鏡モータの電流制限値を切替える手段を有することを特徴とする。
【０００８】
【発明の実施の形態】
本発明の実施例について図１を用いて説明する。
【０００９】
図１は、回転多面鏡モータ３に流れる電流の制限値を２つ持つ場合の構成を示している。
【００１０】
回転多面鏡モータ３は、モータ駆動回路１によって駆動される。回転多面鏡モータ３の回転数は、回転検出ＦＧセンサ４によって検出され、ＦＧ増幅器５により増幅され、Ｆ／Ｖ変換６により電圧に変換される。Ｆ／Ｖ変換６の出力は比較器Ｂ８により基準電圧Ｃ７の値と比較され、回転多面鏡モータ３の回転数が設定された回転数より高くなると、比較器Ｂ８から信号が出力される。基準電圧Ａ９および基準電圧Ｂ１０の出力は比較器Ｂ８の出力により切替えられる。回転多面鏡モータ３の回転が低い場合には基準電圧Ａ９を、回転多面鏡モータ３の回転が高い場合には基準電圧Ｂ１０を選択するように動作する。
【００１１】
比較器Ａ１１は、基準電圧Ａ９または基準電圧Ｂ８の値と電流センサ２の値を比較し、電流センサの出力が基準電圧より大きい場合、比較器Ａ１１はモータ駆動回路１にモータ駆動停止の指示を与える。比較器Ｂ８の出力により、基準電圧Ａ９が選択されている場合には回転多面鏡３への電流制限値は低く、比較器Ｂ８の出力により基準電圧Ｂ１０が選択されている場合には、回転多面鏡３への電流制限値は高くなる。
【００１２】
前記一連の流れによって、回転多面鏡モータ３の回転数により回転多面鏡モータ３に流れる電流を制限する値を切替えるため、回転多面鏡モータ３がロックした場合において、モータ駆動回路１および回転多面鏡モータ３の発熱・発煙を防止できる。また、回転多面鏡モータ３が回転した場合には、回転数に応じて回転多面鏡モータ３への電流制限値を高くするため、回転多面鏡モータ３の加速特性を損うことを防止する。
【００１３】
【発明の効果】
以上説明したように本発明によれば、回転多面鏡モータの回転数によりモータに流れる電流の制限値を切替えるため、回転多面鏡モータがロックした場合においても、モータ駆動回路および回転多面鏡モータの発熱・焼損を防止できる。
【図面の簡単な説明】
【図１】本発明の一例を示すブロック図である。
【図２】従来の技術の一例を示すブロック図である。
【符号の説明】
１…モータ駆動回路、２…電流センサ、３…回転多面鏡モータ、４…回転検出ＦＧセンサ、５…ＦＧ増幅器、６…Ｆ／Ｖ変換、７…基準電圧Ｃ、８…比較器Ｂ、９…基準電圧Ａ、１０…基準電圧Ｂ、１１…比較器Ａ、１２…基準電圧、１３…比較器である。
【図１】
2004240230.tif 000003
【図２】
2004240230.tif 000004